(57)【要約】【課題】利用者に応じた電子機器の機能設定を容易に実現し、利用者の利便性を向上させる。【解決手段】携帯電話機１は、自装置を電子機器２のリモコン装置として動作させるリモコンプログラムをメモリ１１に記憶し、識別用のＩＤコードをリモコンプログラムから取得して電子機器２に送信する。電子機器２のマイクロコンピュータ２０は、メモリ２２に登録されたＩＤコードと携帯電話機１から受信したＩＤコードとを照合し、登録されたＩＤコードの中に受信したＩＤコードが存在する場合、受信したＩＤコードに対応する機能設定プログラムをメモリ２３から取得することにより、自機の機能をＩＤコードに対応する機能設定プログラムに従って設定する。【選択図】        図１
2004254070.tif 000002
【特許請求の範囲】
【請求項１】
携帯型端末装置によって電子機器を遠隔制御する電子機器遠隔制御システムであって、
前記携帯型端末装置は、自装置を制御対象の電子機器のリモコン装置として動作させるリモコンプログラムを記憶する第１の記憶手段と、識別用のＩＤコードを前記リモコンプログラムから取得して前記電子機器に送信するＩＤコード送信手段とを有し、
前記電子機器は、予め登録されたＩＤコードを記憶する第２の記憶手段と、自機の機能を設定する機能設定プログラムを記憶する第３の記憶手段と、前記携帯型端末装置から送信されたＩＤコードを受信するＩＤコード受信手段と、前記登録されたＩＤコードと前記携帯型端末装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有することを特徴とする電子機器遠隔制御システム。
【請求項２】
請求項１記載の電子機器遠隔制御システムにおいて、
前記携帯型端末装置は、通信網上のサーバ装置から前記リモコンプログラムをダウンロードして前記第１の記憶手段に格納するダウンロード手段を有することを特徴とする電子機器遠隔制御システム。
【請求項３】
請求項１記載の電子機器遠隔制御システムにおいて、
前記携帯型端末装置は、前記電子機器に所望の動作を行わせる制御コードを内部に保持した前記リモコンプログラムから、利用者の操作に応じた前記制御コードを取得して前記電子機器に送信する制御コード送信手段を有し、
前記電子機器は、前記携帯型端末装置から前記制御コードを受信する制御コード受信手段と、前記機能設定プログラムにより設定された機能の中から前記受信した制御コードに応じた動作を選択して行う制御手段とを有することを特徴とする電子機器遠隔制御システム。
【請求項４】
電子機器を遠隔制御する携帯型端末装置であって、
自装置を制御対象の電子機器のリモコン装置として動作させるリモコンプログラムを記憶する第１の記憶手段と、
前記リモコンプログラムに対応した機能を前記電子機器に設定させる識別用のＩＤコードを、前記リモコンプログラムから取得して前記電子機器に送信するＩＤコード送信手段とを有することを特徴とする携帯型端末装置。
【請求項５】
請求項４記載の携帯型端末装置において、
通信網上のサーバ装置から前記リモコンプログラムをダウンロードして前記第１の記憶手段に格納するダウンロード手段を有することを特徴とする携帯型端末装置。
【請求項６】
請求項４記載の携帯型端末装置において、
前記電子機器に所望の動作を行わせる制御コードを内部に保持した前記リモコンプログラムから、利用者の操作に応じた前記制御コードを取得して前記電子機器に送信する制御コード送信手段を有することを特徴とする携帯型端末装置。
【請求項７】
携帯型端末装置によって遠隔制御される電子機器であって、
予め登録されたＩＤコードを記憶する第２の記憶手段と、
自機の機能を設定する機能設定プログラムを記憶する第３の記憶手段と、
携帯型端末装置から送信されたＩＤコードを受信するＩＤコード受信手段と、
前記登録されたＩＤコードと前記携帯型端末装置から受信したＩＤコードとを照合する照合手段と、
前記登録されたＩＤコードの中に前記受信したＩＤコードが存在する場合、この受信したＩＤコードに対応する機能設定プログラムにより自機の機能設定を行う機能設定手段とを有することを特徴とする電子機器。
【請求項８】
請求項７記載の電子機器において、
前記携帯型端末装置から利用者の操作に応じて送信される制御コードを受信する制御コード受信手段と、
前記機能設定プログラムにより設定された機能の中から前記受信した制御コードに応じた動作を選択して行う制御手段とを有することを特徴とする電子機器。
【請求項９】
電子機器を遠隔制御する携帯型端末装置としてコンピュータを機能させるリモコンプログラムであって、
プログラムに対応した機能を制御対象の電子機器に設定させる識別用のＩＤコードを内部に保持し、
このＩＤコードを前記電子機器に送信するＩＤコード送信手順をコンピュータに実行させることを特徴とするリモコンプログラム。
【請求項１０】
請求項９記載のリモコンプログラムにおいて、
通信網上のサーバ装置からダウンロードして前記携帯型端末装置のメモリに格納されることを特徴とするリモコンプログラム。
【請求項１１】
請求項９記載のリモコンプログラムにおいて、
前記電子機器に所望の動作を行わせる制御コードを内部に保持し、
利用者の操作に応じた前記制御コードを前記電子機器に送信する制御コード送信手順をコンピュータに実行させることを特徴とするリモコンプログラム。
【請求項１２】
携帯型端末装置によって遠隔制御される電子機器としてコンピュータを機能させる電子機器プログラムであって、
携帯型端末装置から送信されたＩＤコードを受信するＩＤコード受信手順と、
予めメモリに登録されたＩＤコードと前記携帯型端末装置から受信したＩＤコードとを照合する照合手順と、
前記登録されたＩＤコードの中に前記受信したＩＤコードが存在する場合、この受信したＩＤコードに対応する機能設定プログラムにより自機の機能設定を行う機能設定手順とをコンピュータに実行させることを特徴とする電子機器プログラム。
【請求項１３】
請求項１２記載の電子機器プログラムにおいて、
前記携帯型端末装置から利用者の操作に応じて送信される制御コードを受信する制御コード受信手順と、
前記機能設定プログラムにより設定された機能の中から前記受信した制御コードに応じた動作を選択して行う制御手順とをコンピュータに実行させることを特徴とする電子機器プログラム。
【発明の詳細な説明】
【０００１】
【発明の属する技術分野】
本発明は、携帯電話機等の携帯型端末装置によって電子機器を遠隔制御する電子機器遠隔制御システム、携帯型端末装置、電子機器およびプログラムに関するものである。
【０００２】
【従来の技術】
従来より、例えばテレビジョン受像機のようにリモコン装置によって遠隔制御可能な電子機器は広く普及している。一方、携帯電話機等の携帯型端末装置の普及により、携帯型端末装置にリモコンコードを取り込んで携帯型端末装置をリモコン装置として動作させることが提案されており（例えば、特許文献１参照）、また携帯型端末装置とリモコン装置とを一体化することも提案されている（例えば、特許文献２参照）。なお、出願人は、本明細書に記載した先行技術文献情報で特定される先行技術文献以外には、本発明に関連する先行技術文献を出願時までに発見するには至らなかった。
【０００３】
【特許文献１】
特開２００１−２８５９４５号公報
【特許文献２】
特開２００２−１３５８１０号公報
【０００４】
【発明が解決しようとする課題】
電子機器の多くは、操作が非常に煩雑で複雑なＧＵＩ（Ｇｒａｐｈｉｃａｌ  Ｕｓｅｒ  Ｉｎｔｅｒｆａｃｅ）を持っている。例えば、デジタルテレビジョン放送やデータ放送をテレビジョン受像機で利用可能にするデジタルセットトップボックスでは、放送で規定された操作（例えば放送の視聴やチャンネル切換、双方向通信機能、個人情報の設定、課金設定など）と電子機器に依存する操作（例えば電源のオンオフや音量調整、録画予約設定など）とがあり、その操作は非常に煩雑である。
【０００５】
特許文献１、２に開示された従来のシステムでは、携帯型端末装置を電子機器のリモコン装置として利用することができるが、電子機器の複雑な機能に対応するため、携帯型端末装置をリモコン装置として使用する場合の操作も煩雑なものとならざるを得ない。このため、従来のシステムでは、未熟な操作によって電子機器が誤動作したり、課金設定における誤操作によって予期しない経済的損失を惹起したりするといった問題が生じる可能性があった。
本発明は、上記課題を解決するためになされたもので、携帯型端末装置によって電子機器を遠隔制御する電子機器遠隔制御システムにおいて、利用者に応じた電子機器の機能設定を容易に実現し、利用者の利便性を向上させることを目的とする。
【０００６】
【課題を解決するための手段】
本発明は、携帯型端末装置によって電子機器を遠隔制御する電子機器遠隔制御システムであって、前記携帯型端末装置は、自装置を制御対象の電子機器のリモコン装置として動作させるリモコンプログラムを記憶する第１の記憶手段と、識別用のＩＤコードを前記リモコンプログラムから取得して前記電子機器に送信するＩＤコード送信手段とを有し、前記電子機器は、予め登録されたＩＤコードを記憶する第２の記憶手段と、自機の機能を設定する機能設定プログラムを記憶する第３の記憶手段と、前記携帯型端末装置から送信されたＩＤコードを受信するＩＤコード受信手段と、前記登録されたＩＤコードと前記携帯型端末装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有するものである。
また、本発明の電子機器遠隔制御システムの１構成例において、前記携帯型端末装置は、通信網上のサーバ装置から前記リモコンプログラムをダウンロードして前記第１の記憶手段に格納するダウンロード手段を有するものである。
また、本発明の電子機器遠隔制御システムの１構成例において、前記携帯型端末装置は、前記電子機器に所望の動作を行わせる制御コードを内部に保持した前記リモコンプログラムから、利用者の操作に応じた前記制御コードを取得して前記電子機器に送信する制御コード送信手段を有し、前記電子機器は、前記携帯型端末装置から前記制御コードを受信する制御コード受信手段と、前記機能設定プログラムにより設定された機能の中から前記受信した制御コードに応じた動作を選択して行う制御手段とを有するものである。
【０００７】
また、本発明は、電子機器を遠隔制御する携帯型端末装置であって、自装置を制御対象の電子機器のリモコン装置として動作させるリモコンプログラムを記憶する第１の記憶手段と、前記リモコンプログラムに対応した機能を前記電子機器に設定させる識別用のＩＤコードを、前記リモコンプログラムから取得して前記電子機器に送信するＩＤコード送信手段とを有するものである。
また、本発明の携帯型端末装置の１構成例は、通信網上のサーバ装置から前記リモコンプログラムをダウンロードして前記第１の記憶手段に格納するダウンロード手段を有するものである。
また、本発明の携帯型端末装置の１構成例は、前記電子機器に所望の動作を行わせる制御コードを内部に保持した前記リモコンプログラムから、利用者の操作に応じた前記制御コードを取得して前記電子機器に送信する制御コード送信手段を有するものである。
【０００８】
また、本発明は、携帯型端末装置によって遠隔制御される電子機器であって、予め登録されたＩＤコードを記憶する第２の記憶手段と、自機の機能を設定する機能設定プログラムを記憶する第３の記憶手段と、携帯型端末装置から送信されたＩＤコードを受信するＩＤコード受信手段と、前記登録されたＩＤコードと前記携帯型端末装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有するものである。
また、本発明の電子機器の１構成例は、前記携帯型端末装置から利用者の操作に応じて送信される制御コードを受信する制御コード受信手段と、前記機能設定プログラムにより設定された機能の中から前記受信した制御コードに応じた動作を選択して行う制御手段とを有するものである。
【０００９】
また、本発明は、電子機器を遠隔制御する携帯型端末装置としてコンピュータを機能させるリモコンプログラムであって、プログラムに対応した機能を制御対象の電子機器に設定させる識別用のＩＤコードを内部に保持し、このＩＤコードを前記電子機器に送信するＩＤコード送信手順をコンピュータに実行させるようにしたものである。
また、本発明のリモコンプログラムの１構成例は、通信網上のサーバ装置からダウンロードして前記携帯型端末装置のメモリに格納されるものである。
また、本発明のリモコンプログラムの１構成例は、前記電子機器に所望の動作を行わせる制御コードを内部に保持し、利用者の操作に応じた前記制御コードを前記電子機器に送信する制御コード送信手順をコンピュータに実行させるようにしたものである。
【００１０】
また、本発明は、携帯型端末装置によって遠隔制御される電子機器としてコンピュータを機能させる電子機器プログラムであって、携帯型端末装置から送信されたＩＤコードを受信するＩＤコード受信手順と、予めメモリに登録されたＩＤコードと前記携帯型端末装置から受信したＩＤコードとを照合する照合手順と、前記登録されたＩＤコードの中に前記受信したＩＤコードが存在する場合、この受信したＩＤコードに対応する機能設定プログラムにより自機の機能設定を行う機能設定手順とをコンピュータに実行させるようにしたものである。
また、本発明の電子機器プログラムの１構成例は、前記携帯型端末装置から利用者の操作に応じて送信される制御コードを受信する制御コード受信手順と、前記機能設定プログラムにより設定された機能の中から前記受信した制御コードに応じた動作を選択して行う制御手順とをコンピュータに実行させるようにしたものである。
【００１１】
【発明の実施の形態】
以下、本発明の実施の形態について図面を参照して詳細に説明する。図１は本発明の実施の形態となる電子機器遠隔制御システムの構成を示すブロック図である。電子機器遠隔制御システムは、移動通信網と無線通信が可能な携帯型端末装置である携帯電話機１と、この携帯電話機１によって遠隔制御される電子機器２と、図示しない基地局により携帯電話機１と接続する移動通信網３と、移動通信網３と接続される他の通信網であるインターネット４と、インターネット４上のサーバ装置５とから構成される。本実施の形態では、電子機器２の１例として、デジタルテレビジョン放送やデータ放送を従来のテレビジョン受像機で利用可能にするデジタルセットトップボックスを例に挙げて説明する。
【００１２】
携帯電話機１は、携帯電話機全体を制御するマイクロコンピュータ１０と、マイクロコンピュータ１０の動作に必要なプログラム等を記憶するメモリ（第１の記憶手段）１１と、利用者が携帯電話機１を操作するための操作部１２と、利用者に対して情報を提示するための表示部１３と、移動通信網３との無線通信を行う無線送受信部１４と、電子機器２との無線通信を行う送信部１５と、移動通信網３から無線送受信部１４を介して受信した信号を復調して音声信号を取り出すと共に、利用者の音声信号を変調して無線送受信部１４を介して移動通信網３に送信する音声処理部１６とを有している。マイクロコンピュータ１０と送信部１５とは、ＩＤコード送信手段および制御コード送信手段を構成し、またマイクロコンピュータ１０と無線送受信部１４とは、ダウンロード手段を構成している。
【００１３】
電子機器２は、電子機器全体を制御するマイクロコンピュータ２０と、携帯電話機１との無線通信を行う受信部２１と、予め登録されたＩＤコードを記憶するメモリ（第２の記憶手段）２２と、マイクロコンピュータ２０の動作に必要なプログラム等を記憶するメモリ（第３の記憶手段）２３と、図示しないディスプレイ装置に画像を出力するインタフェース部（Ｉ／Ｆ部）２４とを有している。マイクロコンピュータ２０と受信部２１とは、ＩＤコード受信手段および制御コード受信手段を構成し、マイクロコンピュータ２０は、照合手段、機能設定手段および制御手段を構成している。
【００１４】
次に、以上のような携帯電話機１を用いた電子機器２の遠隔制御について説明する。図２は電子機器遠隔制御システムの動作を示すフローチャートであり、図２（ａ）は携帯電話機１の動作を示し、図２（ｂ）は電子機器２の動作を示している。最初に、利用者は、移動通信網３を介してインターネット４上のサーバ装置５にアクセスし、携帯電話機１を電子機器２のリモコン装置として動作させるリモコンプログラムを、サーバ装置５から携帯電話機１に予めダウンロードしておく（図２（ａ）ステップＳ１）。
【００１５】
携帯電話機１の無線送受信部１４は、サーバ装置５から送信されたリモコンプログラムをインターネット４および移動通信網３を介して受信し、マイクロコンピュータ１０は、無線送受信部１４で受信されたリモコンプログラムをメモリ１１に格納する。このとき、サーバ装置５からダウンロードして携帯電話機１で実行するリモコンプログラムとしては、例えばＪａｖａ（登録商標）アプレットがある。
【００１６】
また、サーバ装置５には、予め複数のリモコンプログラムが用意されており、サーバ装置５にアクセスした利用者が自身の目的や操作の習熟度に応じて所望のリモコンプログラムを選択してダウンロードするようになっている。リモコンプログラムの種類としては、例えば高機能リモコンプログラム、視聴専用リモコンプログラム、簡易リモコンプログラム、青少年専用リモコンプログラムなどがある。本実施の形態では、利用者が高機能リモコンプログラムを選択した場合について説明する。
【００１７】
高機能リモコンプログラムをダウンロードして実行させた場合、携帯電話機１は、デジタルテレビジョン放送やデータ放送で規定された全ての操作（例えば放送の視聴やチャンネル切換、双方向通信機能、個人情報の設定、課金設定など）と電子機器２に依存する全ての操作（例えば電源のオンオフや音量調整、録画予約設定など）とを電子機器２に対して行うことができる高機能リモコン装置となる。
【００１８】
視聴専用リモコンプログラムをダウンロードして実行させた場合、携帯電話機１は、デジタルテレビジョン放送やデータ放送で規定された全ての操作を電子機器２に対して行うことができるが、電子機器２に依存する操作については電源のオンオフや音量調整などの簡単な操作のみを行うことができるリモコン装置となる。すなわち、視聴専用リモコンプログラムは、放送の視聴のために仕様を特化した視聴専用リモコン装置を実現するプログラムである。
【００１９】
簡易リモコンプログラムをダウンロードして実行させた場合、携帯電話機１は、デジタルテレビジョン放送やデータ放送で規定された操作は行えず、アナログテレビジョン放送のチャンネル切換と電源のオンオフや音量調整などの電子機器２に依存する簡単な操作のみを行うことができるリモコン装置となる。すなわち、簡易リモコンプログラムは、例えば高齢者向けに操作を平易にするために仕様を特化した簡易リモコン装置を実現するプログラムである。
【００２０】
青少年専用リモコンプログラムをダウンロードして実行させた場合、携帯電話機１は、実行可能な操作については前記視聴専用リモコン装置に準じるが、成人向け番組の視聴禁止や金銭の授受に関する設定の禁止といった制限が加わるリモコン装置となる。すなわち、青少年専用リモコンプログラムは、青少年向けに仕様を特化した青少年専用リモコン装置を実現するプログラムである。
【００２１】
これらの高機能リモコンプログラム、視聴専用リモコンプログラム、簡易リモコンプログラム、青少年専用リモコンプログラムの各々には、各リモコンプログラムに固有で、かつ制御対象の電子機器２に固有のＩＤコードが予め割り当てられている。そして、各リモコンプログラム内には、このリモコンプログラムに割り当てられたＩＤコードが記述されている。また、各リモコンプログラム内には、電子機器２を制御するための制御コードが記述されている。電子機器２のメモリ２２には、高機能リモコンプログラム、視聴専用リモコンプログラム、簡易リモコンプログラム、青少年専用リモコンプログラムの各ＩＤコードが予め登録されている。
【００２２】
次に、利用者は、携帯電話機１を電子機器２のリモコン装置として動作させるとき、操作部１２を操作して、リモコンプログラムの実行を携帯電話機１に命じる。この命令に応じて、携帯電話機１のマイクロコンピュータ１０は、メモリ１１に格納したリモコンプログラムを実行する（ステップＳ２）。そして、マイクロコンピュータ１０は、リモコンプログラムに従って、表示部１３にリモコン装置としての操作メニューを表示させる。
【００２３】
続いて、表示部１３に表示された操作メニューの中から、利用者がある操作を選択した場合（ステップＳ３においてＹＥＳ）、携帯電話機１のマイクロコンピュータ１０は、この操作に応じた制御コードをリモコンプログラムから取得すると共に、ＩＤコードをリモコンプログラムから取得して、取得したＩＤコードと制御コードとにより搬送波を変調して出力する。送信部１５は、この変調された搬送波を送信する（ステップＳ４）。
【００２４】
電子機器２の受信部２１は、携帯電話機１から送信された信号を受信すると、この信号をマイクロコンピュータ２０に出力する（図２（ｂ）ステップＳ１１においてＹＥＳ）。なお、携帯電話機１と電子機器２との間の通信方法としては、例えばブルートゥース（Ｂｌｕｅｔｏｏｔｈ  ）のように電磁波を用いる方法と、ＩｒＤＡ（Ｉｎｆｒａｒｅｄ  Ｄａｔａ  Ａｓｓｏｃｉａｔｉｏｎ）のように赤外線を用いる方法とがある。
【００２５】
続いて、電子機器２のマイクロコンピュータ２０は、受光部２１の出力信号を復調して、ＩＤコードと制御コードとを復号した後（ステップＳ１２）、ＩＤコードを制御コードから分離して（ステップＳ１３）、このＩＤコードをメモリ２２に格納された複数のＩＤコードと照合する（ステップＳ１４）。
【００２６】
マイクロコンピュータ２０は、携帯電話機１から受信したＩＤコードがメモリ２２に格納された複数のＩＤコードのうちのいずれかと一致した場合（ステップＳ１４においてＹＥＳ）、受信したＩＤコードに対応する機能設定プログラムをメモリ２３から取得することにより、自機の機能をＩＤコードに対応する機能設定プログラムに従って設定する（ステップＳ１５）。こうして、電子機器２は、受信したＩＤコードに対応した機能、すなわち携帯電話機１の高機能リモコンプログラムに対応した機能を利用者に提供する状態に設定される。
【００２７】
そして、マイクロコンピュータ２０は、機能設定プログラムにより設定された機能の中から、ステップＳ１２で復号した制御コードに応じた動作を選択して実行する（ステップＳ１６）。このときの動作としては、例えば携帯電話機１の操作に応じたメニュー等の画像をＩ／Ｆ部２４を介してディスプレイ装置に表示させるなどの動作がある。なお、マイクロコンピュータ２０は、ステップＳ１４において照合不一致の場合、あらかじめ登録されたリモコンプログラムからの信号ではないと判断して、携帯電話機から送信された信号を無視する。
【００２８】
以上の動作は、利用者が高機能リモコンプログラムを携帯電話機１にダウンロードして実行させた場合であるが、利用者が視聴専用リモコンプログラム、簡易リモコンプログラムあるいは青少年専用リモコンプログラムをダウンロードして実行させた場合も同様である。例えば利用者が視聴専用リモコンプログラムをダウンロードして携帯電話機１を操作すれば、電子機器２は、視聴専用リモコンプログラムに対応した機能を利用者に提供する状態に設定され、設定した機能の中から制御コードに応じた動作を選択して実行する。
【００２９】
こうして、電子機器２は、携帯電話機１のリモコンプログラムに対応した機能を利用者に提供する状態に設定される。その結果、電子機器２がディスプレイ装置により提供するＧＵＩは、リモコンプログラムに対応して変化し、また携帯電話機１が表示部１３により提供するＧＵＩも、リモコンプログラムに従って変化する。したがって、利用者は、自身の目的や操作の習熟度に合ったＧＵＩにより携帯電話機１から電子機器２を遠隔操作するので、その操作に戸惑うことが少なくなる。
【００３０】
なお、本実施の形態では、電子機器２の１例としてデジタルセットトップボックスを例に挙げて説明したが、これに限るものではなく、他の電子機器にも本発明を適用できることは言うまでもない。
【００３１】
【発明の効果】
本発明によれば、携帯型端末装置に、自装置を制御対象の電子機器のリモコン装置として動作させるリモコンプログラムを記憶する第１の記憶手段と、識別用のＩＤコードをリモコンプログラムから取得して電子機器に送信するＩＤコード送信手段とを設け、電子機器に、予め登録されたＩＤコードを記憶する第２の記憶手段と、自機の機能を設定する機能設定プログラムを記憶する第３の記憶手段と、携帯型端末装置から送信されたＩＤコードを受信するＩＤコード受信手段と、登録されたＩＤコードと携帯型端末装置から受信したＩＤコードとを照合する照合手段と、登録されたＩＤコードの中に受信したＩＤコードが存在する場合、この受信したＩＤコードに対応する機能設定プログラムにより自機の機能設定を行う機能設定手段とを設けることにより、携帯型端末装置は、リモコンプログラムで規定された操作性を利用者に提供するリモコン装置となり、電子機器は、受信したＩＤコードに対応した機能、すなわち携帯型端末装置のリモコンプログラムに対応した機能を利用者に提供する状態に設定される。したがって、利用者は、自身の目的や操作の習熟度に合ったリモコンプログラムを有する携帯型端末装置を使用するだけで、この携帯型端末装置に応じて電子機器の機能が設定されるので、電子機器の機能を減らしたり増やしたりすることが容易となる。また、利用者は、自身の目的や操作の習熟度に合ったリモコンプログラムを有する携帯型端末装置を使用するので、携帯型端末装置をリモコン装置として動作させる際にその操作に戸惑うことが少なくなる。その結果、利用者にとっての利便性を向上させることができる。また、保護者がその子供に青少年専用リモコンプログラムを有する携帯型端末装置を使用させるようにすれば、電子機器の機能は青少年向けに制限されるので、例えば成人向け番組の視聴制限等を容易に実現することができる。
【００３２】
また、携帯型端末装置に、通信網上のサーバ装置からリモコンプログラムをダウンロードして第１の記憶手段に格納するダウンロード手段を設けることにより、利用者は、自身の目的や操作の習熟度に合ったリモコンプログラムをサーバ装置からダウンロードすれば、携帯型端末装置を自身の目的や操作の習熟度に合ったリモコン装置として動作させることができるので、目的や操作性が異なる複数のリモコン装置を用意する必要がなくなる。
【００３３】
また、携帯型端末装置に、電子機器に所望の動作を行わせる制御コードを内部に保持したリモコンプログラムから、利用者の操作に応じた制御コードを取得して電子機器に送信する制御コード送信手段を設け、電子機器に、携帯型端末装置から制御コードを受信する制御コード受信手段と、機能設定プログラムにより設定された機能の中から受信した制御コードに応じた動作を選択して行う制御手段とを設けることにより、利用者は、所望の動作を電子機器に行わせることができる。
【図面の簡単な説明】
【図１】本発明の実施の形態となる電子機器遠隔制御システムの構成を示すブロック図である。
【図２】本発明の実施の形態となる電子機器遠隔制御システムの動作を示すフローチャートである。
【符号の説明】
１…携帯電話機、２…電子機器、３…移動通信網、４…インターネット、５…サーバ装置、１０、２０…マイクロコンピュータ、１１、２２、２３…メモリ、１２…操作部、１３…表示部、１４…無線送受信部、１５…送信部、１６…音声処理部、２１…受信部、２４…インタフェース部。
【図１】
2004254070.tif 000003
【図２】
2004254070.tif 000004